(57)【要約】【課題】ルームアクセサリーとしての機能を発揮させ、視覚的な面白さを発揮させることができるディスクプレーヤーを提供する。【解決手段】ディスクプレーヤー１００は、プレーヤー本体１０と、プレーヤー本体１０に揺動可能に取着された蓋体２０とを備えている。蓋体２０は、プレーヤー本体１０に装着された光ディスク１０２を覆う閉塞位置と、光ディスク１０２のプレーヤー本体１０への着脱を可能とした開放位置との間で揺動するように構成されている。蓋体２０は、プレーヤー本体１０の円盤部１３に臨む内面と円盤部１３とは反対側に位置した外面２００４とを有し、蓋体２０の内面２００２と外面２００４との間に、被収容物の収容を可能とした収容部３０を設けている。外板２４は、中央部が周辺部よりも高い凸状をなすように透明性または半透明性を有する材料で形成され、その上面によって外面２００４を構成している。【選択図】        図３
2004310828.tif 000002
【特許請求の範囲】
【請求項１】
ディスク状記録媒体を装脱可能に保持するとともに、装着した前記ディスク状記録媒体を回転させてディスク状記録媒体に対する情報の記録および／または再生を行なうプレーヤー本体と、
前記プレーヤー本体に揺動可能に取着され、前記プレーヤー本体に装着された前記ディスク状記録媒体を覆う閉塞位置と、前記ディスク状記録媒体の前記プレーヤー本体への着脱を可能とした開放位置との間で揺動する蓋体とを備えるディスクプレーヤーであって、
前記蓋体は、前記プレーヤー本体に臨む内面と該プレーヤー本体とは反対側に位置した外面とを有し、
前記蓋体の内面と外面との間に、被収容物の収容を可能とした収容部が設けられ、
前記外面の少なくとも一部は、前記収容部に収容された被収容物を前記蓋体の外部から視認できるように透明性または半透明性の材料で形成されている、
ことを特徴とするディスクプレーヤー。
【請求項２】
前記収容部は平面視円形を呈し、中央部は最も高くかつ中央部から外周部に至るにつれてその高さが次第に低くなるように形成されていることを特徴とする請求項１記載のディスクプレーヤー。
【請求項３】
前記プレーヤー本体をほぼ水平な載置面上に載置するとともに前記蓋体を前記閉塞位置に位置させた状態で、前記蓋体の外面が斜め上方を向くように構成されていることを特徴とする請求項１記載のディスクプレーヤー。
【請求項４】
前記プレーヤー本体をほぼ水平な載置面上に載置するとともに前記蓋体を前記閉塞位置に位置させた状態で、前記蓋体の外面が、その後部が前部よりも高い箇所に位置するように斜め上方を向き、前記蓋体の後部がプレーヤー本体に揺動可能に結合されていることを特徴とする請求項１記載のディスクプレーヤー。
【請求項５】
前記蓋体は、前記プレーヤー本体に揺動可能に結合された蓋本体と、前記蓋本体に係脱可能に取着され前記外面を構成する外板とを有し、前記収容部は、前記蓋本体と外板との間に形成されていることを特徴とする請求項１記載のディスクプレーヤー。
【請求項６】
前記蓋体は、前記プレーヤー本体に揺動可能に結合された蓋本体と、前記蓋体の外面を構成する外板および外板押えとを有し、前記外板押えは、前記蓋本体に合わされた前記外板の外縁に当接した状態で前記蓋本体に結合され、前記収容部は、前記蓋本体と外板との間に形成されていることを特徴とする請求項１記載のディスクプレーヤー。
【請求項７】
前記蓋体を前記閉塞位置に保持するロック手段を設けたことを特徴とする請求項１記載のディスクプレーヤー。
【請求項８】
前記蓋体を前記開放位置に保持する蓋体保持手段を設けたことを特徴とする請求項１記載のディスクプレーヤー。
【発明の詳細な説明】
【０００１】
【発明の属する技術分野】
本発明はディスクプレーヤーに関するものである。
【０００２】
【従来の技術】
従来から、ＣＤやＤＶＤなどのディスク状記録媒体が装着されるプレーヤー本体と、該プレーヤー本体に対して開閉可能に取着される蓋体とを有するディスクプレーヤーが提供されている（例えば特許文献１）。
このようなディスクプレーヤーは、蓋体を開放した状態でディスク状記録媒体をプレーヤー本体に対して装脱し、また、蓋体を閉塞した状態でプレーヤー本体に装着されたディスク状記録媒体を回転させて情報の記録あるは再生を行なうように構成されている。
【０００３】
【特許文献１】
特開平１１−１８６７４６号公報
【０００４】
【発明が解決しようとする課題】
従来、このようなディスクプレーヤーは、情報の記録や再生を行なわない状況においては、音響機器や映像機器として存置されるのみであり、視覚的な面白さを提供することができなかった。
本発明は、このような事情に鑑みなされたもので、その目的とするところは、ルームアクセサリーとしての機能を発揮させ、視覚的な面白さを発揮させることができるディスクプレーヤーを提供することにある。
【０００５】
【課題を解決するための手段】
本発明は前記目的を達成するために、ディスク状記録媒体を装脱可能に保持するとともに、装着した前記ディスク状記録媒体を回転させてディスク状記録媒体に対する情報の記録および／または再生を行なうプレーヤー本体と、前記プレーヤー本体に揺動可能に取着され、前記プレーヤー本体に装着された前記ディスク状記録媒体を覆う閉塞位置と、前記ディスク状記録媒体の前記プレーヤー本体への着脱を可能とした開放位置との間で揺動する蓋体とを備えるディスクプレーヤーであって、前記蓋体は、前記プレーヤー本体に臨む内面と該プレーヤー本体とは反対側に位置した外面とを有し、前記蓋体の内面と外面との間に、被収容物の収容を可能とした収容部が設けられ、前記外面の少なくとも一部は、前記収容部に収容された被収容物を前記蓋体の外部から視認できるように透明性または半透明性の材料で形成されていることを特徴とする。
そのため、被収容物を蓋体の収容部に収容し蓋体を閉塞位置に位置させることにより、ディスクプレーヤーの外部から蓋体の外面を通してこれら被収容物を鑑賞することができ、ルームアクセサリーとしての機能を発揮させることがきる。
【０００６】
【発明の実施の形態】
次に、本発明の実施の形態について図面を参照して説明する。
図１は本実施の形態のディスクプレーヤーの構成を示すブロック図である。
ディスクプレーヤー１００は、ディスク状記録媒体である光ディスク１０２を回転駆動する駆動手段としてのスピンドルモータ１０３と、光ヘッド１０４と、光ヘッド１０４の送り用の駆動手段としての送りモータ１０５とを備えている。
【０００７】
スピンドルモータ１０３は、システムコントローラ１０７及びサーボ制御回路１０９により回転制御され、光ディスク１０２を所定の回転数で回転させる。
光ヘッド１０４は、信号変調およびＥＣＣブロック１０８の指令に従って、回転する光ディスク１０２の信号記録面に対して、それぞれ光照射を行う。このような光照射により光ディスク１０２に対する記録、再生が行われる。
信号変復調部及びＥＣＣブロック１０８は、信号の変調、復調及びＥＣＣ（エラー訂正符号）の付加を行う。
送りモータ１０５は、光ヘッド１０４を、例えば光ディスク１０２上の所定の記録トラックまで移動させる。スピンドルモータ１０３の制御と、送りモータ１０５の制御と、光ヘッド１０４の対物レンズを保持する二軸アクチュエータのフォーカシング方向及びトラッキング方向の制御は、それぞれサーボ制御回路１０９により行われる。
また、光ヘッド１０４は、光ディスク１０２の信号記録面からの反射光ビームに基づいて、後述するような各種の光ビームを検出し、各光ビームに対応する信号をプリアンプ部１２０に供給する。
【０００８】
プリアンプ部１２０は、各光ビームに対応する信号に基づいてフォーカスエラー信号、トラッキングエラー信号、ＲＦ信号等を生成できるように構成されている。再生対象とされる記録媒体の種類に応じて、サーボ制御回路１０９、信号変調及びＥＣＣブロック１０８等により、これらの信号に基づく復調及び誤り訂正処理等の所定の処理が行われる。
これにより、復調された記録信号は、例えばコンピュータのデータストレージ用であれば、インタフェース１１１を介して外部コンピュータ１３０等に送出される。これにより、外部コンピュータ１３０等は光ディスク１０２に記録された信号を再生信号として受け取ることができるようになっている。
【０００９】
また、オーディオ・ビジュアル用であれば、Ｄ／Ａ，Ａ／Ｄ変換器１１２のＤ／Ａ変換部でデジタル／アナログ変換され、オーディオ・ビジュアル処理部１１３に供給される。そして、このオーディオ・ビジュアル処理部１１３でオーディオ・ビデオ信号処理が行われ、オーディオ・ビジュアル信号入出力部１１４を介して外部の撮像・映写機器に伝送される。
【００１０】
図２は本発明の実施の形態のディスクプレーヤーの斜視図、図３は同ディスクプレーヤーの蓋体を開放した状態を示す斜視図、図４は同ディスクプレーヤーの分解斜視図、図５は蓋体の断面図、図６は蓋体を下方から見た斜視図、図７はプレーヤー本体の円盤部を裏面から見た斜視図、図８は蓋体を円盤部に組み込んだ状態を下方から見た斜視図である。
図２、図３に示すように、ディスクプレーヤー１００は、プレーヤー本体１０と、プレーヤー本体１０に揺動可能に取着された蓋体２０とを備えている。
プレーヤー本体１０はケース１２を備え、ケース１２にはスピンドルモータ１０３、光ヘッド１０４、送りモータ１０５、システムコントローラ１０７、信号変復調器１０８、インターフェース１１１、Ｄ／Ａ、Ａ／Ｄ変換器１１２、オーディオビジュアル処理部１１３、オーディオビジュアル信号入出力部１１４、プリアンプ１２０、レーザ制御部１２１などが収容されている。
ケース１２は、底板１２０２と、上板１２０４と、側板１２０６とを備えている。
底板１２０２は、前部が円弧状に形成されている。
上板１２０４は、前部が低く後部が高くなるように、すなわち斜め前方に臨むように傾斜して設けられている。本実施の形態では、上板１２０４は、前部が円弧状を呈して底板１２０２の前部に一致するように設けられている。
側板１２０６は、これら底板１２０２の縁と上板１２０４の縁とを接続している。
上板１２０４の後部を除く部分は、この後部とは別体の円盤部１３で構成されている。円盤部１３には、図７に示すように、外周部から中央部にわたって切欠１３０２が設けられ、円盤部１３の中央部で切欠１３０２内にはスピンドルモータ１０３のチャック部が配置され、また、光ヘッド１０４が切欠１３０２内で切欠１３０２の延在方向に沿って移動可能に配設されている。
上板１２０４の後部には、円盤部１３の外周に沿って円弧状に延在する操作部１２０８が設けられ、操作部１２０８には、ディスクプレーヤー１００の電源スイッチ１２０８Ａ、光ディスク１０２の再生、早送り、早戻し、停止を行なうための操作ボタン１２０８Ｂ、リモートコントロール信号を受信するための受光部１２０８Ｃなどが配設されている。電源スイッチ１２０８Ａ、操作ボタン１２０８Ｂがシステムコントローラ１０７に操作信号を供給することによって、あるいは、受光部１２０８Ｃが受光信号をシステムコントローラ１０７に供給することによって、システムコントローラ１０７が操作信号や受光信号に応じて所定の制御を行なうように構成されている。
【００１１】
次に、蓋体２０の構成について説明する。
蓋体２０は、全体として円盤状に構成され、図２に示すように、プレーヤー本体１０に装着された光ディスク１０２を覆う閉塞位置と、図３に示すように、光ディスク１０２のプレーヤー本体１０への着脱を可能とした開放位置との間で揺動するように構成されている。
蓋体２０は、図５に示すように、プレーヤー本体１０の円盤部１３に臨む内面２００２と円盤部１３とは反対側に位置した外面２００４とを有し、蓋体２０の内面２００２と外面２００４との間に、被収容物の収容を可能とした収容部３０を設けている。
【００１２】
さらに詳しく説明すると、蓋体２０は、蓋本体２２と、外板２４および外板押え２６とを有している。
蓋本体２２は、図６、図１０に示すように、ヒンジ２２１０、軸２２１２を介して円盤部１３の後端に揺動可能に結合され、外板２４は外板押え２６によって蓋本体２２に取着されている。
図６に示すように、蓋本体２２は平坦面から円盤状に構成されその下面によって内面２００２を構成し、また、図５に示すように、蓋本体２２の上面は収容部３０に収容された被収容物が載置される平坦な載置面２２１４を構成している。したがって、プレーヤー本体１０をほぼ水平方向に延在する載置面上に載置するとともに蓋体２０を閉塞位置に位置させた状態で、蓋体２０の外面２００２および載置面２２１４はその後部が前部よりも高い箇所に位置するように斜め上方を向いている。
図５に示すように、蓋本体２２の外縁近傍には複数の貫通孔２２０２が形成され、蓋本体２２の下面で貫通孔２２０２の近傍には係合爪２２０６を有する係合部材２２０４が蓋本体２２の半径方向に移動可能に設けられ、係合部材２２０４はスプリング２２０５により半径方向の外方に突出する方向に付勢されている。
また、図５、図２に示すように、蓋本体２２の前端近傍には、光ディスク１０４を視認するための窓部２２１６が貫通形成され、蓋体２０を閉塞位置に揺動させた状態で蓋体２０の外部から窓部２２１６を介して蓋体２０の下方で円盤部１３上に位置している光ディスク１０４を視認できるように構成されている。
【００１３】
図５に示すように、外板２４は、蓋本体２２よりも一回り小さな外周を有し中央部が周辺部よりも高い凸状（ドーム状）をなすように透明性または半透明性を有する材料で形成され、その上面によって外面２００４を構成している。本実施の形態では外板２４は合成樹脂によって構成されている。
図５に示すように、外板押え２６は、環板部２６０１と、環板部２６０１の外周縁から下方に起立された外周部２６０３とを有し、環板部２６の下面には蓋本体２２の貫通孔２２０２に挿通される突片２６０２が突設され、突片２６０２には係合孔２６０４が形成されている。
蓋体２０の組み立ては、図５、図６に示すように、外板２４の外縁が蓋本体２２の上面に合わされた状態で外板押え２６の環板部２６０１を外板２４の外縁に当接させつつ突片２６０２を貫通孔２２０２に挿通させ、突片２６０２の係合孔２６０４に係合部材２２０４の係合爪２２０６を係合させることによりなされる。
これにより、蓋本体２２と外板２４との間に収容部３０が形成されることになる。本実施の形態では、図２に示すように、収容部３０は平面視した場合に円形を呈し、また、図３に示すように、収容部３０の高さは、中央部が最も大きく、中央部から外周に近づくにつれて次第に小さくなるように形成されている。
【００１４】
次に、蓋体２０と円盤部１３との結合関係について説明する。
図６に示すように、ヒンジ２２１０は蓋本体２２の下面の後端に２つ設けられ、一方のヒンジ２２１０は、カム面２２１８が形成されてカム２２２０を兼用している。２つのヒンジ２２１０の中間箇所に設けられた突片２２２２にはコイルスプリング２２２４が係止され、このコイルスプリング２２２４は、蓋体２０と円盤部１３とが組み立てられた状態で、円盤部１３の下面に沿って延在し、コイルスプリング２２２４の他端は、図８に示すように、ケース１２の円盤部１３の中央の突片１３１２に係止される。
また、蓋本体２２の下面の後端には蓋体２０の開放位置の位置決め用のストッパ２２２５が設けられている。
また、カム２２２０の近傍にはほぼ９０度の範囲で歯部が形成されたラック２２２６が立設されている。
また、蓋本体２２の下面の前端には蓋体２０を閉塞位置に保持するロック爪２２２８が突設されている。
【００１５】
図７に示すように、円盤部１３の下面１３０１の後端には、軸２２１２を保持する２つの保持部１３０４が設けられ、その後方には蓋体２０のストッパ２２２５に当接するストッパ１３０５が設けられている。
円盤部１３の下面の後端には、蓋本体２２のカム２２２０に当接するばね性を有するばね部１３０６が設けられるとともに、蓋本体２２のラック２２２６に噛合するギア１３０８が設けられ、また、ギア１３０８の回転速度を減速するダンパ１３１０が設けられている。
円盤部１３の下面の前端で蓋本体２２のロック爪２２２８に臨む箇所には、ロック爪２２２８と係合することで蓋体２０を閉塞位置に保持するとともに、その係合を解除することで蓋体２０の開放位置への揺動を可能とするロック部１３１４が設けられている。本例では、ロック爪２２２８がロック部１３１４に挿入されることで係合がなされ、係合された状態でロック爪２２２８をロック部１３１４に向けて押圧することによりロック爪２２２８に対するロック部１３１４の係合が解除されるように構成されている。
【００１６】
蓋体２０の円盤部１３に対する組付けは次のようになされる。
図８に示すように、蓋本体２２の下面を円盤部１３の上面に臨ませ、ヒンジ２２１０および保持部１３０４を軸２２１２によって連結する。これにより、カム２２２０にばね部１３０６が当接するとともに、ラック２２２６にダンパ１３１０のギア１３０８が噛合する。
これにより、蓋体２０は円盤部１３に揺動可能に取着される。
次いで、円盤部１３の下面においてコイルばね２２２４の一端を蓋本体２２の突片２２２２に係止させ、他端を円盤部１３の突片１３１２に係止させる。
【００１７】
次に、蓋体２０の開閉動作について、ばね部１３０６およびコイルばね２２２４の作用とともに説明する。
図９（Ａ）に示すように、蓋体２０が閉塞位置に位置した状態で、ばね部１３０６はカム２２２０のカム面２２１８のうち凸部を挟む２つの平坦部の一方側に当接しており、この状態でばね部１３０６のばね力は蓋体２０を閉塞位置に揺動させる方向に付勢している。
また、図１０（Ａ）に示すように、蓋体２０が閉塞位置に位置した状態で、コイルばね２２２４は２つの突片１３１２、２２２２の間隔が広がっているためコイルばね２２２４を短縮する方向に張力が発生している。しかしながら、蓋体２０の閉塞位置では、コイルばね２２２４と軸２２１２が近接しているため、コイルばね２２２４の張力のうち蓋体２０を開放する方向に作用する分力はわずかなものとなっている。
したがって、ばね部１３０６のばね力と、コイルばね２２２４の前記分力と、蓋体２０および収容部３０に収容された被収容物の重量とを適宜決定することで、蓋体２０の閉塞位置において、ロック爪２２２８とロック部１３１４との係合を解除した際に、蓋体２０を上方に揺動させることも、あるいは、閉塞位置に留めた状態にしておくことも設定可能である。本実施の形態では、ばね部１３０６のばね力と、コイルばね２２２４の前記分力と、蓋体２０および収容部３０に収容された被収容物の重量とが吊り合うように予め設定してあり、蓋体２０の閉塞位置において、ロック爪２２２８とロック部１３１４との係合を解除した際に、蓋体２０が閉塞位置に留まった状態に保持されるように構成されている。本実施の形態では、ロック爪２２２８とロック部１３１４によって特許請求の範囲のロック手段が構成されている。
【００１８】
蓋体２０を閉塞位置から開放位置に揺動する際には、閉塞位置に位置している蓋体２０の前端を下方に押圧する。
これによりロック爪はロック部１３１４に近接させる方向に押圧され、ロック爪のロック部１３１４による係合が解除される。
本実施の形態では、蓋体２０の閉塞位置において、ロック爪とロック部との係合を解除した際に、蓋体２０が閉塞位置に留まった状態に保持されているので、蓋体２０の前端を手で把持して開放位置に揺動させる。
これにより、ばね部１３０６とカム２２２０の位置関係は、図９（Ａ）に示す状態から図９（Ｂ）に示す状態に変化する。すなわち、蓋体２０を閉塞位置から開放位置に揺動させると、ばね部１３０６がカム面２２１８の一方の平坦面から凸部を乗り越えて他方の平坦部に当接した状態となる。この状態でばね部１３０６のばね力はカム面２２１８の他方の平坦部を押圧する方向に、すなわち蓋体２０を開放位置に保持する方向に作用する。また、ばね部１３０６がカム面２２１８の一方の平坦面から凸部を乗り越えることにより適度なクリック感をユーザーに与えることができる。
また、軸２２１２とコイルばね２２２４の位置関係は、図１０（Ａ）に示す状態から図１０（Ｂ）に示す状態に変化する。すなわち、蓋体２０が開放位置に近づくに従ってコイルばね２２２４と軸２２１２との間隔が拡大するため、コイルばね２２２４の張力が蓋体２０を開放する方向に強く作用し蓋体２０が開放方向に揺動される。これにより、蓋体２０を操作する際に手にかかる蓋体２０および被収容物の重量もコイルばね２２２４の張力により軽減される。
そして、ストッパ２２２５がストッパ１３０５に当接することで蓋体２０のそれ以上の開放方向への揺動が規制され、カム２２２０に係合しているばね部１３０６のばね力と、コイルばね２２２４の張力とにより蓋体２０は開放位置に保持される。
なお、ラック２２２６がダンパ１３１０のギア１３０８に噛合しているので、蓋体２０が閉塞位置から開放位置に揺動される過程でコイルばね２２２４の張力が強く作用しても蓋体２０が急激に開放されることが防止される。
また、蓋体２０が開放位置に位置した状態で、蓋体２０は、カム２２２０に係合しているばね部１３０６のばね力と、コイルばね２２２４の張力との双方により保持されているので、カム２２２０とばね部１３０６のみで蓋体２０を開放位置に保持する構成に比較して、カム２２２０とばね部１３０６に加わる力を低減できる。したがって、これらカムやばね部の強度を低減でき、また、カム２２２０とばね部１３０６の間に塗布する潤滑材を省くことができる。これにより、カム２２２０とばね部１３０６の形状を小型化する上で有利となり、また、カム２２２０とばね部１３０６を合成樹脂のように比較的強度の低い材料で形成することができるようになりコストを抑制する上でも有利となる。
また、蓋体２０を開放位置から閉塞位置に揺動する際の動作は概ね上述した動作と逆の順番で行なわれ、閉塞位置において蓋体２０の前端をロック部１３１４に向けて押圧することによってロック爪２２２８がロック部１３１４にロックされ、これにより蓋体２０が閉塞位置に保持される。
なお、コイルばね２２２４の端部を係止する突片１３１２、２２２２をその位置を変えて複数個設けておき、コイルばね２２２４の端部を係止する突片をこれら複数個の突片から選択することによって、コイルばね２２２４の張力を調節できるようにすれば、収容部３０に収容された被収容物の重量に対応してコイルばね２２２４の張力を適宜調整することができる。
本実施の形態では、カム２２２０、ばね部１３０６、コイルばね２２２４、ストッパ２２２５、１３０５によって特許請求の範囲の蓋体保持手段が構成されている。
【００１９】
次に、ディスクプレーヤー１００の作用について説明する。
図１１に示すように、ユーザーが写真３２や絵などの装飾品を被収容物として収容部３０に収容することにより、ディスクプレーヤー１００の外部からこれら被収容物を鑑賞することができ、視覚的な面白さを高める上で有利となる。
したがって、音響機器や映像機器として機能するディスクプレーヤー１００を、ルームアクセサリなどの置物としても機能させることができ、ディスクプレーヤー１００の商品価値を格段と高めることができる。
また、蓋体２０を閉塞位置に位置させたプレーヤー本体１０を、ほぼ水平な載置面上に載置すると、本実施の形態では、蓋体２０の外面２００２並びに載置面２２１４が斜め上方を向くように構成されているので、収容部３０に収容された被収容物が視認しやすく、置物としての機能を効果的に発揮させる上で有利となっている。
また、収容部３０の上面を構成する外板２４が、収容部３０の下面を構成する蓋本体２６に対して係脱可能に構成されているため、被収容物の収容部３０への収容と取出を容易に行なうことができ、置物としてのディスクプレーヤー１００の意匠的効果を変更することができる。
また、本実施の形態では、収容部３０は、蓋体２０の内面２００２と外面２００４との間に空間として形成されているため、被収容物としては写真や絵のように平面的な形状を有するものに加えて、立体形状を有する装飾品や物品を収容できる。例えば、図１１に示すように、写真３２で撮影された場所で採取した貝殻などの小物３４を写真３２と共に収容すれば、互いに関連する写真３２と小物３４などを同時に鑑賞することができ、視覚的な面白さを高める上でさらに有利となる。
【００２０】
また、図１２に示すような時計３６を収容部３０に収容すればディスクプレーヤー１００を時計としても機能させることができる。
また、収容部３０に鏡を収容すればディスクプレーヤ１００を簡易的な化粧台としても機能させることができる。この場合には、化粧品などが容易に収容できるようなケースやポケットを蓋体２０に設ければさらに実用性を高める上で有利である。
また、ディスクプレーヤー１００が画像信号を出力するものであれば、この画像信号を入力して映像を表示するモニタ、例えば液晶テレビや有機ＥＬテレビなどを収容部３０に収容してモニタに表示される映像を見ることができる。
この場合には、モニタをディスクプレーヤー１００と別々に設置する場合に比較して、広いスペースを占有することなく光ディスク１０２の再生映像を見ることができる。この際、スピーカーを蓋体２０に設ければ広いスペースを占有することなく音声を再生することができる。
【００２１】
図１３に示すように、被収容物としてＬＥＤなどの光源を点灯あるいは点滅させるオブジェ３８を収容部３０に収容してもよい。
本例では、板状に形成されたオブジェ３０の表面に、クリスマスツリー３８０１が描かれるととともに、星３８０２、雪３８０４、クリスマスツリーの飾り３８０６のそれぞれを表す光源が設けられ、これら光源は駆動電流が供給されることにより点灯あるいは点滅を行なうように構成されている。
この場合、ディスクプレーヤー１００側にこれら光源に駆動電流を供給する電源供給手段１３０を設けるとともに、電源供給手段１３０の出力端子Ｔ１を収容部３０内に設ける。そして、オブジェ３０の電源入力端子Ｔ２を出力端子Ｔ１に接続するように構成する。
電源供給手段１３０が、例えばディスクプレーヤー１００の電源がオンされた状態で再生動作していない間は駆動電流を供給し、再生動作がなされると駆動電流の供給を停止するように構成されていれば、ディスクプレーヤ１００を用いていない間、オブジェク３８の点灯や点滅を鑑賞することができる。あるいは、ディスクプレーヤー１００の電源オン、オフに拘わらず常時、駆動電流の供給を行なうようにしてもよい。
【００２２】
また、図１４に示すように、ディスクプレーヤー１００のリモートコントロール装置４０を収容部３０に収容できるように構成すれば、リモートコントロール装置４０の紛失を防止し、必要なときに直ちにリモートコントロール装置４０を使うことができ、ディスクプレーヤー１００の使い勝手を向上させる上で有利となる。なお、リモートコントロール装置４０には、リモートコントロール信号を発信する発信部４００２、再生、早送り、早戻しなどの操作を指令するための操作ボタン４００４が設けられている。
また、ディスクプレーヤー１００が光ディスク１０２に記録されたプログラムを読み取ることによりゲームを行なうものである場合には、ゲーム用のリモートコントロール装置を収容部３０に収容できるように構成すれば上記と同様の効果を奏することができる。
【００２３】
また、収容部３０に写真や絵を収容するとともに、蓋本体２２の光ディスク１０２に臨む箇所に小径の貫通孔を設け、収容部３０に前記貫通孔よりも大きな白色の軽い粒子を収容しておけば、光ディスク１０２の回転に伴って発生する空気流が前記貫通孔を通って収容部３０に流入することにより前記粒子が収容部３０内で動き、あたかも写真や絵の上に雪が舞っている状景を再現することができ、特別な部品を設けることなく、視覚的な面白さを得ることができる。
なお、本実施の形態では、外面２００４の全体を透明性または半透明性の材料で形成したが、収容部３０に収容された被収容物を蓋体２０の外部から視認できるように外面２００４の少なくとも一部を透明性または半透明性の材料で形成してもよい。
また、本実施の形態では、外板押え２６を蓋本体２２に結合することで外板２４を蓋本体２２に取着する構成としたが、外板押え２６を用いることなく外板２４を蓋本体２２に取着する構成としてもかまわない。
また、本実施の形態では、ディスクプレーヤーについて説明したが、本発明は、ディスク状記録媒体を記録および／または再生する電子機器にも適用可能である。
【００２４】
【発明の効果】
以上説明したように本発明によれば、ルームアクセサリーとしての機能を発揮させ、視覚的な面白さを発揮させることができるディスクプレーヤーを提供することができる。
【図面の簡単な説明】
【図１】本実施の形態のディスクプレーヤーの構成を示すブロック図である。
【図２】本発明の実施の形態のディスクプレーヤーの斜視図である。
【図３】同ディスクプレーヤーの蓋体を開放した状態を示す斜視図である。
【図４】同撮像装置の記録系の構成を示すブロック図である。
【図５】蓋体の断面図である。
【図６】蓋体を下方から見た斜視図である。
【図７】プレーヤー本体の円盤部を裏面から見た斜視図である。
【図８】蓋体を円盤部に組み込んだ状態を下方から見た斜視図である。
【図９】（Ａ）は蓋体が閉塞位置に位置したときのカムの位置を示す図、（Ｂ）は蓋体が開放位置に位置した状態を示すカムの位置を示す図である。
【図１０】（Ａ）は蓋体が閉塞位置に位置したときのコイルばねの位置を示す図、（Ｂ）は蓋体が開放位置に位置したときのコイルばねの位置を示す図である。
【図１１】収容部に写真を収容した状態を示す斜視図である。
【図１２】収容部に収容する時計を示す斜視図である。
【図１３】収容部に収容するオブジェを示す斜視図である。
【図１４】収容部にリモートコントロール装置を収容する場合の説明図である。
【符号の説明】
１００……ディスクプレーヤー、１０２……光ディスク、１０……プレーヤー本体、１２……ケース、１３……円盤部、２０……蓋体、２２……蓋本体、２４……外板、２６……外板押え、３０……収容部、３２……写真、３４……小物、３６……時計、３８……オブジェ、４０……リモートコントロール装置、２００２……内面、２００４……外面。
【図１】
2004310828.tif 000003
【図２】
2004310828.tif 000004
【図３】
2004310828.tif 000005
【図４】
2004310828.tif 000006
【図５】
2004310828.tif 000007
【図６】
2004310828.tif 000008
【図７】
2004310828.tif 000009
【図８】
2004310828.tif 000010
【図９】
2004310828.tif 000011
【図１０】
2004310828.tif 000012
【図１１】
2004310828.tif 000013
【図１２】
2004310828.tif 000014
【図１３】
2004310828.tif 000015
【図１４】
2004310828.tif 000016